(57)【要約】【課題】食品や飼料等の製造品を別の建屋やタンクに運搬する際、コンベアハウジングの内壁に結露が生じることを防止することができる運搬装置を提供する。【解決手段】第１の建屋又はタンクと第２の建屋又はタンクの間に設けられる運搬装置であって、第１の建屋又はタンクから第２の建屋又はタンクへ製造品を運搬するコンベア１と、コンベア１が内装されたコンベアハウジング１０と、コンベアハウジング１０の上壁（屋根１３）から第１の間隔を空けて設けられる上壁及びコンベアハウジング１０の側壁１２Ａ，１２Ｂから第２の間隔を空けて設けられる側壁を有するハウジング２０とを備える運搬装置。【選択図】図２
2015127253.tif 000002
【特許請求の範囲】
【請求項１】
第１の建屋又はタンクと第２の建屋又はタンクの間に設けられる運搬装置であって、
前記第１の建屋又はタンクから前記第２の建屋又はタンクへ製造品を運搬するコンベアと、
前記コンベアが内装されたコンベアハウジングと、
前記コンベアハウジングの上壁から第１の間隔を空けて設けられる上壁及び前記コンベアハウジングの側壁から第２の間隔を空けて設けられる側壁を有するハウジングとを備えること特徴とする運搬装置。
【請求項２】
前記ハウジングの前記上壁及び前記側壁は、１枚のテント生地からなるハウジングカバーにより構成されていることを特徴とする請求項１に記載の運搬装置。
【請求項３】
前記ハウジングカバーは、両末端にそれぞれ棒が取り付けられていることを特徴とする請求項２に記載の運搬装置。
【請求項４】
前記ハウジングカバーは、一端がフック型トグルクランプで止められることを特徴とする請求項２又は３に記載の運搬装置。
【請求項５】
前記ハウジングカバーは、着脱可能であることを特徴とする請求項２〜４のいずれか１項に記載の運搬装置。
【請求項６】
前記ハウジングの前記上壁は、傾斜を有していることを特徴とする請求項１〜５のいずれか１項に記載の運搬装置。
【請求項７】
前記第２の間隔は、５ｃｍ〜１００ｃｍであることを特徴とする請求項１〜６のいずれか１項に記載の運搬装置。
【請求項８】
前記製造品は、油粕であることを特徴とする請求項１〜７のいずれか１項に記載の運搬装置。
【発明の詳細な説明】
【技術分野】
【０００１】
本発明は、運搬装置に関するものである。
【背景技術】
【０００２】
食品等を加工する常温の作業室と、加工後の食品等を冷凍貯蔵する低温の貯蔵室と、が隣接して配置されると共に、これら室内温度の異なる各部屋を仕切る仕切壁を開閉したり、仕切壁に開口を設けたりすることで、各部屋間に食品等の搬送を可能としている。このような仕切壁に開口を設け、その開口を搬送用コンベアが貫通する建物構造では、隣接する各部屋の温度差に起因して、開口付近に結露が発生するという問題が生じていた。
【０００３】
当該問題を解決するための手段として、温度の異なる複数の部屋を仕切る仕切壁に搬送用コンベアが貫通するために形成された開口に設けられた結露防止用ヒートパイプであって、該結露防止用ヒートパイプは、前記開口の開口縁部付近を取り巻くように配置された放熱部と、前記温度の異なる複数の部屋の温度が高い方の部屋側に配置された吸熱部と、が一体に形成されていることを特徴とする結露防止用ヒートパイプが知られている（特許文献１参照）。
【０００４】
一方、工場内において食品や飼料等を製造等する建屋やタンクから貯蔵等する建屋やタンクへ屋外を経由して、製造品、例えば温かい油粕をコンベアで搬送することがある。
【先行技術文献】
【特許文献】
【０００５】
【特許文献１】特開２００９−２３６３６５号公報
【発明の概要】
【発明が解決しようとする課題】
【０００６】
建屋やタンク間を運搬する際、特に外気が低温の時には、コンベアを覆うコンベアハウジングの内壁に結露が生じることにより、カビの発生・サルモネラ菌等の増殖の原因となるため、結露を防止することが求められる。
【０００７】
従って、本発明の目的は、食品や飼料等の製造品を別の建屋やタンクに運搬する際、コンベアハウジングの内壁に結露が生じることを防止することができる運搬装置を提供することである。
【課題を解決するための手段】
【０００８】
本発明は、上記目的を達成するために、下記の運搬装置を提供する。
［１］第１の建屋又はタンクと第２の建屋又はタンクの間に設けられる運搬装置であって、前記第１の建屋又はタンクから前記第２の建屋又はタンクへ製造品を運搬するコンベアと、前記コンベアが内装されたコンベアハウジングと、前記コンベアハウジングの上壁から第１の間隔を空けて設けられる上壁及び前記コンベアハウジングの側壁から第２の間隔を空けて設けられる側壁を有するハウジングとを備えること特徴とする運搬装置。
［２］前記ハウジングの前記上壁及び前記側壁は、１枚のテント生地からなるハウジングカバーにより構成されていることを特徴とする前記［１］に記載の運搬装置。
［３］前記ハウジングカバーは、両末端にそれぞれ棒が取り付けられていることを特徴とする前記［２］に記載の運搬装置。
［４］前記ハウジングカバーは、一端がフック型トグルクランプで止められることを特徴とする前記［２］又は［３］に記載の運搬装置。
［５］前記ハウジングカバーは、着脱可能であることを特徴とする前記［２］〜［４］のいずれか１つに記載の運搬装置。
［６］前記ハウジングの前記上壁は、傾斜を有していることを特徴とする前記［１］〜［５］のいずれか１つに記載の運搬装置。
［７］前記第２の間隔は、５ｃｍ〜１００ｃｍであることを特徴とする前記［１］〜［６］のいずれか１つに記載の運搬装置。
［８］前記製造品は、油粕であることを特徴とする前記［１］〜［７］のいずれか１つに記載の運搬装置。
【発明の効果】
【０００９】
本発明によると、食品や飼料等の製造品を別の建屋やタンクに運搬する際、コンベアハウジングの内壁に結露が生じることを防止することができる運搬装置を提供することができる。
【図面の簡単な説明】
【００１０】
【図１】本発明の実施形態に係る運搬装置（ハウジング設置前の状態）の概略構成を示す斜視図である。
【図２】図１におけるIIの方向から見た図（但し、ハウジング設置後の状態）である。
【発明を実施するための形態】
【００１１】
図１は、本発明の実施形態に係る運搬装置（ハウジング設置前の状態）の概略構成を示す斜視図である。また、図２は、図１におけるIIの方向から見た図（但し、ハウジング設置後の状態）である。本発明の実施形態を図１及び図２に基づいて以下に詳細に説明する。
【００１２】
本発明の実施の形態に係る運搬装置は、第１の建屋又はタンクと第２の建屋又はタンクの間に設けられる運搬装置であって、第１の建屋又はタンクから第２の建屋又はタンクへ製造品を運搬するコンベア１と、コンベア１が内装されたコンベアハウジング１０と、コンベアハウジング１０の上壁（屋根１３）から第１の間隔を空けて設けられる上壁及びコンベアハウジング１０の側壁１２Ａ，１２Ｂから第２の間隔を空けて設けられる側壁を有するハウジング２０とを備える。
【００１３】
第１の建屋又はタンクとは、例えば食品、飼料原料や飼料、等を製造する建屋又は屋外タンクであり、第２の建屋又はタンクとは、例えば製造した食品や飼料等を貯蔵等する建屋又は屋外タンクである。第１の製造工程を行なう建屋やタンクから、第２の製造工程を行なう建屋やタンクへ運搬する場合等も含む。タンクとは、タンク内に製造設備（攪拌機など）ないし貯蔵設備等を備えたものである。なお、第１の建屋又はタンクと第２の建屋又はタンクとの間の距離は、例えば、１ｍ〜２００ｍ程度である。
【００１４】
製造品とは、特に限定されるものではないが、食品及び飼料が好適なものとして挙げられる。製造品には、完成品のみならず、中間製品、加熱処理済み材料等も含まれる。特に好適なものとして、油糧種子から得られた油粕が挙げられる。
【００１５】
＜コンベア１＞
本発明の実施の形態に係る運搬装置は、第１の建屋又はタンクから第２の建屋又はタンクへ製造品を運搬するコンベア１を備える。
【００１６】
コンベア１は、第１の建屋又はタンクの中から、例えば、第１の建屋の壁又はタンクの下部に設けられた開口、屋外、第２の建屋の壁又はタンクの上部に設けられた開口を経由して、第２の建屋又はタンクの中へ向かって延びている。
【００１７】
コンベア１は、公知のコンベアを使用することができ、種々の形状、構造、サイズのコンベアを使用できる。
【００１８】
コンベア１は、図１〜２に示される１列１段の場合に限られず、２列以上、及び／又は２段以上であっても良い。
【００１９】
＜コンベアハウジング１０＞
本発明の実施の形態に係る運搬装置は、コンベア１が内装されたコンベアハウジング１０を備える。
【００２０】
コンベアハウジング１０は、例えば、図２に示されるように、コンベア１がその上面に設置された底板１１と、コンベア１の進行方向に沿って設けられた側壁１２Ａ，１２Ｂと、コンベア１の上方に空間を隔てて設けられた屋根（上壁）１３とから構成されている。コンベア１が外気に晒されないように、すなわちコンベア全体が外部に露出しないようにコンベアハウジング１０により覆われていることが望ましい。コンベアハウジング１０の一方の端部は、例えば、図示されていない第１の建屋の外壁に接しており、コンベアハウジング１０の他方の端部は、図示されていない第２の建屋の外壁に接している。或いは、コンベアハウジング１０の端部が、建屋の壁に設けられた開口に嵌めこまれていてもよいし、壁を貫通して建屋の内部にまで延びていても良い。
【００２１】
コンベア１上の製造物が搬送されるに際して障害とならない程度の空間が確保されてさえいれば、コンベアハウジング１０のサイズ、形状は特に限定されない。好ましくは、底板１１の幅は、コンベア１の幅＋１〜２０ｃｍであり、より好ましくは１〜３ｃｍである。側壁１２Ａ，１２Ｂの高さは、５０ｃｍ〜１００ｃｍ程度であることが好ましい。
【００２２】
コンベアハウジング１０の材質は、特に限定されるものではないが、例えば、鉄、ステンレス、銅、トタン等の金属板、木材、プラスチック等が挙げられる。
【００２３】
＜ハウジング２０＞
本発明の実施の形態に係る運搬装置は、コンベアハウジング１０の上壁（屋根１３）から第１の間隔を空けて設けられる上壁及びコンベアハウジング１０の側壁１２Ａ，１２Ｂから第２の間隔を空けて設けられる側壁を有するハウジング２０を備える。
【００２４】
ハウジング２０は、例えば、図１〜２に示されるように、２本の短支柱２１Ａ、２１Ｂと、２本の長支柱２２Ａ、２２Ｂと、２本の長支柱２２Ａ、２２Ｂをそれらの下部で連結する下部連結材２３Ａと、２本の短支柱２１Ａ、２１Ｂをそれらの下部で連結する下部連結材２３Ｂと、２本の長支柱２２Ａ、２２Ｂをそれらの頂部で連結する頂部連結材２４Ａと、２本の短支柱２１Ａ、２１Ｂをそれらの頂部で連結する頂部連結材２４Ｂと、ハウジング２０の上壁と側壁を構成するハウジングカバー２５と、下部連結材２３Ａに設けられ、ハウジングカバー２５の一端が接合される棒（通常の棒、もしくはハウジングカバー２５の一端が巻回されるカバーロール２６）と、ハウジングカバー２５の他端に取り付けられた棒（丸棒２７）と、下部連結材２３Ｂに設けられ、棒（丸棒２７）が引っ掛けられる複数のフック２８とから構成されている。
【００２５】
短支柱２１Ａ及び長支柱２２Ａは、図示されていない第１の建屋の外壁の近くに設置され、倒れないように土中に端部が埋め込まれている又はコンクリート等の土台で固定されている。一方、短支柱２１Ｂ及び長支柱２２Ｂは、図示されていない第２の建屋の外壁の近くに設置され、倒れないように土中に端部が埋め込まれている又はコンクリート等の土台で固定されている。
【００２６】
ハウジングカバー２５は、簡易に着脱可能な構成を採用している。ハウジングカバー２５を設置する際、間隔を空けて２本の棒に接合されることで、ハウジングカバー２５の２本の棒に挟まれた部分は、棒により、均一にテンションがかかり、雨水が溜まるたわみ等が発生しないので好ましい。棒は丸棒が好ましい。一方の棒に接合されたハウジングカバー２５は、頂部連結材２４Ａ、頂部連結材２４Ｂを経由して、もう一方の棒に接合されることが好ましい。２つの棒はそれぞれ、頂点連結材の位置、もしくは頂点連結材より下部になればよく、必ずしもハウジングカバー２５の両末端である必要はないが、一方の棒は支柱に常時固定し、もう一方をフックにて支柱に固定する場合は、ハウジングカバーの両末端に棒があることが好ましい。なお、フックにて支柱に固定する方の棒は、長支柱側でも、短支柱側でもかまわないが、コンベアのメンテナンス性から短支柱側が好ましい。ハウジングカバー２５の固定には、フック２８で丸棒２７を引っ掛ける。この時、フック２８は、フック型トグルクランプを用いることで、ハウジングカバー２５に適度なテンションが掛かっているため、緩むことなく設置できる。また、図２に示すように、一方の棒がカバーロール２６であり、カバーロール２６に巻回されたハウジングカバー２５を引っ張り出し、頂部連結材２４Ａ、頂部連結材２４Ｂを経由して、フック２８に丸棒２７を引っ掛ける実施形態もある。ハウジングカバー２５には、カバーロール２６の巻回力により適度なテンションが掛かっているため、弛むことなく設置できる。一方、取り外すときには、フック２８から丸棒２７を外し、ハウジングカバー２５をカバーロール２６に巻き取らせる。なお、フック型トグルクランプとカバーロールの両方を用いることがより好ましい。
【００２７】
ハウジングカバー２５は、コンベアハウジング１０に直接、雨や風が当たらないように、コンベアハウジング１０の上壁（屋根１３）及び側壁１２Ａ，１２Ｂを全体的に覆っていることが望ましい。
【００２８】
ハウジング２０の上壁は、図に示すように傾斜を有していることが好ましい。傾斜角度は、特に限定されないが、５〜２０°であることが好ましい。傾斜をつけることにより、雨水が溜まることを防ぐことができ、ハウジング２０の内側に雨水が浸入しにくくなる。
【００２９】
下壁をさらに設けても良い。例えば、フック２８を下部連結材２３Ｂではなく下部連結材２３Ａに設けて、カバーロール２６から引っ張り出したハウジングカバー２５を頂部連結材２４Ａ、頂部連結材２４Ｂ、下部連結材２３Ｂを経由させ、ぐるりと１周させてフック２８に引っ掛ける構成にすることで下壁を設けることができる。
【００３０】
ハウジングカバー２５で構成されるハウジング２０の側壁とコンベアハウジング１０の側壁の間隔Ｄ１、Ｄ２は、それぞれ５ｃｍ〜１００ｃｍであることが好ましく、１０ｃｍ〜３０ｃｍであることがより好ましく、１５ｃｍ〜２５ｃｍであることがさらに好ましい。これにより、ハウジング２０の側壁とコンベアハウジング１０の側壁の間に適度な空気層が存在することになり、コンベアハウジング１０の内壁への結露が抑制される。
【００３１】
また、ハウジングカバー２５で構成されるハウジング２０の上壁とコンベアハウジング１０の上壁（屋根１３）の間隔は、５ｃｍ〜１００ｃｍであることが好ましく、１０〜３０ｃｍであることがより好ましく、１５ｃｍ〜２５ｃｍであることがさらに好ましい。これにより、ハウジング２０の上壁とコンベアハウジング１０の上壁の間に適度な空気層が存在することになり、コンベアハウジング１０の内壁への結露が抑制される。
【００３２】
ハウジングカバー２５は、上壁部分と両側壁部分とが分割されていない１枚の防水機能のある生地、例えば、テント生地からなることが好ましい。その他、着脱は簡易でなくなるが、保温機能のある板材等を用いることもできる。
【００３３】
ハウジングカバー２５以外の部材、すなわち支柱や連結材等の材料は、特に限定されるものではないが、鉄、ステンレス、アルミ等の金属、木材、プラスチック等を使用することができる。
【００３４】
〔本発明の実施の形態の効果〕
本発明の実施の形態によれば、食品や飼料等の製造品（例えば温かい油粕等）を工場内の別の建屋やタンクに運搬する際、コンベアハウジング１０の内壁に結露が生じることを防止ないし結露の発生を減少させることができる運搬装置を提供できる。これにより、結露に起因するカビの発生・サルモネラ菌等の増殖等を抑制できる。また、ハウジング２０により、コンベアハウジング１０への雨水浸入が防止され、保温することも可能となる。
さらに、ハウジングカバー２５を簡易に着脱可能な構成としているため、コンベアハウジング１０内の掃除・殺菌・点検を容易に行なうことができる。
【符号の説明】
【００３５】
１：コンベア
１０：コンベアハウジング
１１：底板、１２Ａ，１２Ｂ：側壁、１３：屋根（上壁）
２０：ハウジング
２１Ａ、２１Ｂ：短支柱、２２Ａ、２２Ｂ：長支柱
２３Ａ、２３Ｂ：下部連結材、２４Ａ、２４Ｂ：頂部連結材
２５：ハウジングカバー、２６：カバーロール
２７：丸棒、２８：フック
【図１】
2015127253.tif 000003
【図２】
2015127253.tif 000004